(57)【特許請求の範囲】
【請求項１】
製粉されるべき製品の収容のための入口（４）と製粉された製品の出口とを備えたハウジングと、
製品の製粉のためにハウジングの内方で入口（４）と出口との間に配設された少なくとも１つの対の製粉ローラと、フィーダモジュールとを有し、
フィーダモジュールは、枠（１３）と、入口からの粒状物を収容し及びこの粒状物を製粉ローラ（１）の長さに亘って分配しかつ分配された粒状物を製粉ローラに供給するために枠（１３）に配設された分配及びフィーダ装置（８）とを有し、その際枠（１３）はハウジングにおいて回転軸（１４）の回りに旋回可能に配設されており、そして
更にフィーダモジュールは、フィーダモジュールが作業位置と開放位置との間で旋回可能であるようにハウジングに配設されており、その際作業位置において分配及びフィーダ装置が入口（４）と製粉ローラとの間に配置されておりかつ開放位置においてはフィーダモジュールの各要素へのアクセスが行われることを特徴とする穀粉流製粉生産物の製造のためのローラミル。
【請求項２】
枠（１３）がセグメント状である請求項１に記載のローラミル。
【請求項３】
フィーダモジュール全体が別個の１つの構造群として製粉ローラミルに対して組み込み及び取り外し可能である、請求項１又は２に記載のローラミル。
【請求項４】
分配及びフィーダ装置（８）が、製粉ローラ（１）の長さに亘る粒状物の分配用及び分配された製品の製粉ローラ（１）への搬送用の分配ローラ（９）及びフィーダローラ（１０）を有する、請求項１から３までのうちのいずれか１つに記載のローラミル。
【請求項５】
フィーダモジュールが、製粉ローラ（１）への粒状物の制御された供給のための配量装置を有する、請求項１から４までのうちのいずれか１つに記載のローラミル。
【請求項６】
配量装置が、配量スライダ（１１）を有する、請求項１から５までのうちのいずれか１つに記載のローラミル。
【請求項７】
枠（１３）が、ハウジング内に回転軸（１４）のまわりに旋回可能に配設されている、請求項１から６までのうちのいずれか１つに記載のローラミル。
【請求項８】
フィーダ装置（８）が、手動的及び／又は自動的に旋回して係入可能及び旋回して係脱可能である、請求項１から７までのうちのいずれか１つに記載のローラミル。
【請求項９】
ローラミル用フィーダモジュール、特に分配ローラ（９）と、フィーダローラ（１０）と、並びに製粉ローラ対（１）の上方で製粉材料用の入口（４）の延在部に配設された製粉材料用の配量装置とを備えたフィーダモジュールを有する穀物製粉製品の製造のためのローラミルにおいて、
分配ローラ（９）及びフィーダローラ（１０）が、配量装置と共に、回転軸（１４）のまわりに旋回可能に配設された枠（１３）に配設されていることを特徴とするローラミル。
【発明の詳細な説明】
本発明は、ローラミル、特に穀物ミル、飼料ミル及び他のミル運転における穀物製粉製品等の製造のためのローラミルに関する。
特に穀物の製粉の際の製粉製品の製造のためのローラミルは、ミルローラの全長に製粉されるべき材料をできる限り均一に分配するためのフィーダローラを備えたフィーダ装置を有する。ヨーロッパ特許第３８０５４号明細書は、穀物ではフィーダ室から分配ローラ及びフィーダ又は弛緩ローラへ達する製品フィーダ調整部が記載されている。これらのローラに、配量スライダによって配量隙間を調整するために、配量室内の信号発信器と接続している配量スライダが続く。このフィーダ装置へのアクセスは、制御ドアを介しても制御蓋を介しても制限された程度に与えられる。洗浄及び保守の目的のための良好なアクセスを達成するために、種々の被覆等が除去されなければならない。例えばドイツ国特許明細書第２０１１７８３号、第２４０３５１号、ドイツ国特許出願第２４６２４１４号又は第３４０４７３２号明細書に記載されている他のフィーダ装置は、この技術水準を越えるものではない。
本発明は、例えばドイツ国特許第２７３０１６６号明細書又はヨーロッパ特許第３３４９１９号明細書による技術分野の製粉ローラミルのフィーダ装置を、簡単かつ機能確実な構成で衛生及びアクセスの本質的な改良が達成されるように構成することを課題とする。この課題は、請求項１の特徴に基づいて解決される。本発明によるフィーダ装置は、完全な構造群として旋回可能に配設されたフィーダモジュールとして形成されている。その際フィーダ又は分配ローラは配量スライダ及び相応するガイドプレートと共にセグメント状の枠に収容されている。枠は上方に位置する回転軸の回りに旋回可能に配設されている。
その上本発明は、従属請求項に示された他の有利な構成を可能にする。それ自体公知である場合でも、同様に同時に又は別個に残ている前部カバー部又は前部被覆部を側方に又は上方に（国際出願第９３／１３８５７号）旋回可能に形成することが可能である。同様に製粉されるべき製品のための配量又はガイドプレートは、振動配量部を備えることができ、その際特に通常の配量スライダが置換される。
これに対して補完的に、ドイツ国特許出願第２４０３３５１号明細書によれば通常の製粉隙間吸気は、引き込まれた空気が製粉ローラ上で遮断されることができるように形成されている。
本発明を次に図示の実施例に基づいて詳しく記載する。図面において、
図１は、４つのローラミルの原理図、
図２は、本発明によるフィーダモジュールの作業位置及び旋回された開放位置を示し、
図３は、ローラセット（ローラ対）を示す。
２つの並んで配設されたローラ対１又はローラミルの各半分に渡って２つ毎に互いに配設されたローラ対１をも備えた技術分野の製粉ローラミルは、枠３を有し、枠上にはローラ対１がそれ自体公知の方法（ドイツ国際特許第２７３０１６６号明細書等）で支持されている。ローラミルは、更に枠３上に固定された支持構造７を有し又はこの枠３の部分である。枠３及び支持構造７は、実質的にローラミルのハウジングを形成しかつこの支持構造は、通常の方法で板張り２によって取り囲まれている。製品供給ダクト４は、ダクトがローラミル中央に通じるように配設される。両ローラミル半体上には、検査扉５、６及びそれぞれ１つのフィーダ装置が設けられている。板張り２及び全製品フィーダ部４、８は、支持構造７に収容されている。フィーダ装置８は実質的に１つの分配ローラ９と１つのフィーダローラ１０並びに製粉材料用の配量スライダ１１とを有し、ここに「配量」とは材料供給量を測定して所定量づつ材料を供給することを意味し、ここに「配量スライダ」とは、湾曲したプレートであって、製粉材料の供給量の増減を調整するためにガイドプレート１２との間の製粉材料を通過させる隙間（流動横断面）を規制する形の流量調整部材をいう。その際これらの要素は、セグメント状の枠１３に収容されかつ案内されている。枠１３は回転軸１４のまわりに旋回可能である。フィーダ装置８を構成する分配ローラ９及びフィーダローラ１０は、それ自体通常の方法でオーバドライブ装置及び又は直接駆動装置によって運転される（図示しない）。同様に公知の方法で、例えば（電気的）空気圧的（従って図示しない）方法で配量スライダ１１の駆動が行われる。枠１３の旋回可能性は、フィーダ装置８の作業位置と並んで検査等のための少なくとも１つの開放位置をも可能にする。
本発明によれば、分配ローラ９、配量スライダー１１等のフィーダモジュールを構成する各構成部材の間の調整不良による誤機能の結果、製粉工程管理における量的及び質的障害の発生は排除される。フィーダモジュールは、フィーダローラ１０及び材料供給量を調整する配量スライダ１１とガイドプレート１２から構成されて、フィーダモジュールは、枠１３に固定された回転軸１４の回りを別個の１つの構成群である１つのユニット又は１つのモジュールとして旋回可能に配設されている。
製品供給ダクト４中の製粉材料が供給されると、図示しないセンサがやってくる製粉材料を確認しかつローラ対１のローラを引き寄せる。手動的に又は自動的に通常の方法で製粉隙間が調整される。製品が一度製粉されると、検査扉５は開き、ローラ長さに亘って複数の個所で製品見本が取り出されかつ相応した後調整が必要な時間間隔で実施されることができる。
本発明によるローラミルの基本的構造及びその機能は、相応したドイツ国特許第２７３０１６６号又はヨーロッパ特許第３３４９１９号明細書に見られる（通常４個又は８個のローラミルとして形成されている）。
フィーダモジュールの他の図示しない変形は、従来の配量スライダ１１の省略にある。配量スライダは振動配量要素によって置換され、振動配量要素は、好ましくは単軸的に作用しかつ板及び又はピエゾフィルムの形に形成されている。
有利に、それ自体ドイツ国特許第２７３０１６６号明細書から公知のローラセットの形の各ローラ対の前記フィーダモジュールを補完して形成されており、その際この構成において、二重偏心体２０によって過負荷防止部２１及びチャック偏心体２２が組合されている。所要スペースはこうして減少され得る。
【図１】
0004132081.tif 000002
【図２】
0004132081.tif 000003
【図３】
0004132081.tif 000004